(57)【要約】【課題】遭難者の発見に利用可能な通信装置の消費電力を軽減させられるようにする。【解決手段】通信装置が、無線通信の通信先装置と通信する通信部と、自通信装置の位置情報を取得する位置情報取得部と、自通信装置が移動中か否かを判定する移動判定部と、自通信装置の位置と自通信装置の移動状況とに基づく所定の条件が成立していると判定した場合、前記通信部の消費電力を軽減する消費電力軽減部と、を備える。【選択図】図２
2016192754.tif 000002
【特許請求の範囲】
【請求項１】
無線通信の通信先装置と通信する通信部と、
自通信装置の位置情報を取得する位置情報取得部と、
自通信装置が移動中か否かを判定する移動判定部と、
自通信装置の位置と自通信装置の移動状況とに基づく所定の条件が成立していると判定した場合、前記通信部の消費電力を軽減する消費電力軽減部と、
を備える通信装置。
【請求項２】
前記消費電力軽減部は、自通信装置が移動予定経路として予め設定されている領域内に位置していると判定した場合、及び、自通信装置が移動中であると判定した場合、前記通信部の消費電力を軽減する、
請求項１に記載の通信装置。
【請求項３】
前記消費電力軽減部は、自通信装置の位置と所定の基準位置との距離が所定の閾値より小さいと判定した場合、及び、自通信装置が移動中であると判定した場合、前記通信部の消費電力を軽減する、
請求項１または請求項２に記載の通信装置。
【請求項４】
前記消費電力軽減部は、自通信装置の位置と所定の基準位置との距離が所定の閾値以上であると判定した場合、前記通信部の消費電力を軽減する処理を終了する、
請求項１から３のいずれか一項に記載の通信装置。
【請求項５】
現在時刻を示す情報を取得する時刻情報取得部を更に備え、
前記消費電力軽減部は、現在時刻が夜間として設定されている期間に該当すると判定した場合、前記通信部の消費電力の軽減を抑制する、
請求項１から４のいずれか一項に記載の通信装置。
【請求項６】
無線通信の通信先装置と通信する通信部と、自第１通信装置の位置情報を取得する位置情報取得部と、自第１通信装置が移動中か否かを判定する移動判定部と、自第１通信装置が所定の条件を満たすと判定した場合、及び、自第１通信装置が移動中であると判定した場合、前記通信部の消費電力を軽減する消費電力軽減部と、を備える第１通信装置と、
前記第１通信装置と通信可能になった場合、当該第１通信装置を発見したことを示す情報を出力する第２通信装置と、
を備える通信システム。
【請求項７】
前記第２通信装置は、前記第１通信装置と通信して当該第１通信装置の識別情報を取得し、所定の識別情報にて識別される前記第１通信装置と通信可能になった場合、当該第１通信装置を発見したことを示す情報を出力する、
請求項６に記載の通信システム。
【請求項８】
無線通信の通信先装置と通信する通信部を備える通信装置が、自通信装置の位置情報を取得する位置情報取得ステップと、
前記通信装置が、自通信装置が移動中か否かを判定する移動判定ステップと、
前記通信装置が、自通信装置の位置が所定の条件を満たすと判定した場合、及び、自通信装置が移動中であると判定した場合、前記通信部の消費電力を軽減する消費電力軽減ステップと、
を有する消費電力軽減方法。
【請求項９】
無線通信の通信先装置と通信する通信部を備える通信装置を制御するコンピュータに、
前記通信装置の位置情報を取得する位置情報取得ステップと、
前記通信装置が移動中か否かを判定する移動判定ステップと、
前記通信装置の位置が所定の条件を満たすと判定した場合、及び、前記通信装置が移動中であると判定した場合、前記通信部の消費電力を軽減する消費電力軽減ステップと、
を実行させるためのプログラム。
【発明の詳細な説明】
【技術分野】
【０００１】
本発明は、通信装置、通信システム、消費電力軽減方法およびプログラムに関する。
【背景技術】
【０００２】
遭難者の救助活動を効率的に行うために、遭難者が所持している通信装置を用いて遭難者を発見する技術が提案されている。
例えば、特許文献１に記載の遭難者救助支援装置は、遭難者が所持する携帯電話から発信される電波を受信する。遭難者が所持する携帯電話は、遭難者救助支援装置に対して自端末の固有識別子を送信する。この固有識別子を受信した遭難者救助支援装置は、予め用意して自装置内に保持している遭難者が所持しているはずの携帯電話の固有識別子と照合し、遭難者が所持する携帯電話を特定する。そして、遭難者救助支援装置は、遭難者が所持する携帯電話から位置情報を取得して、地上にいる捜索隊が所持する携帯電話に送信する。
【先行技術文献】
【特許文献】
【０００３】
【特許文献１】特開２０１１−４３９５５号公報
【発明の概要】
【発明が解決しようとする課題】
【０００４】
遭難者が所持している通信装置の電池残量が低下して通信を行えなくなった場合、当該通信装置を用いて遭難者を発見する方法を用いることができなくなる。このため、遭難者が所持している通信装置の消費電力を軽減できることが好ましい。これに対し、特許文献１では、遭難者が所持している通信装置の消費電力を軽減する方法は示されていない。
【０００５】
本発明は、上述の課題を解決することのできる通信装置、通信システム、消費電力軽減方法およびプログラムを提供することを目的としている。
【課題を解決するための手段】
【０００６】
本発明の第１の態様によれば、通信装置は、無線通信の通信先装置と通信する通信部と、自通信装置の位置情報を取得する位置情報取得部と、自通信装置が移動中か否かを判定する移動判定部と、自通信装置の位置と自通信装置の移動状況とに基づく所定の条件が成立していると判定した場合、前記通信部の消費電力を軽減する消費電力軽減部と、を備える。
【０００７】
本発明の第２の態様によれば、通信システムは、無線通信の通信先装置と通信する通信部と、自第１通信装置の位置情報を取得する位置情報取得部と、自第１通信装置が移動中か否かを判定する移動判定部と、自第１通信装置が所定の条件を満たすと判定した場合、及び、自第１通信装置が移動中であると判定した場合、前記通信部の消費電力を軽減する消費電力軽減部と、を備える第１通信装置と、前記第１通信装置と通信可能になった場合、当該第１通信装置を発見したことを示す情報を出力する第２通信装置と、を備える。
【０００８】
本発明の第３の態様によれば、消費電力軽減方法は、無線通信の通信先装置と通信する通信部を備える通信装置が、自通信装置の位置情報を取得する位置情報取得ステップと、前記通信装置が、自通信装置が移動中か否かを判定する移動判定ステップと、前記通信装置が、自通信装置の位置が所定の条件を満たすと判定した場合、及び、自通信装置が移動中であると判定した場合、前記通信部の消費電力を軽減する消費電力軽減ステップと、を有する。
【０００９】
本発明の第４の態様によれば、プログラムは、無線通信の通信先装置と通信する通信部を備える通信装置を制御するコンピュータに、前記通信装置の位置情報を取得する位置情報取得ステップと、前記通信装置が移動中か否かを判定する移動判定ステップと、前記通信装置の位置が所定の条件を満たすと判定した場合、及び、前記通信装置が移動中であると判定した場合、前記通信部の消費電力を軽減する消費電力軽減ステップと、を実行させるためのプログラムである。
【発明の効果】
【００１０】
本発明によれば、遭難者の発見に利用可能な通信装置の消費電力を軽減させることができる。
【図面の簡単な説明】
【００１１】
【図１】本発明の一実施形態における通信システムの装置構成を示す概略構成図である。
【図２】同実施形態における登山者用通信端末装置の機能構成を示す概略ブロック図である。
【図３】同実施形態における捜索者用通信端末装置の機能構成を示す概略ブロック図である。
【図４】同実施形態における消費電力軽減部が切り替える登山者端末通信部の状態の例を示す説明図である。
【図５】同実施形態において、捜索者用通信端末装置が登山者用通信端末装置を発見する処理手順の例を示す説明図である。
【図６】同実施形態において、登山者用通信端末装置及び捜索者用通信端末装置が行う認証処理の例を示す説明図である。
【図７】同実施形態において、登山者用通信端末装置が登山者端末通信部の通信機能のオン・オフを切り替える処理手順の第１の例を示すフローチャートである。
【図８】図７の処理で消費電力軽減部が行う通信機能オン・オフの切替の条件を示す説明図である。
【図９】同実施形態において、登山者用通信端末装置が登山者端末通信部の通信機能のオン・オフを切り替える処理手順の第２の例を示すフローチャートである。
【図１０】同実施形態において、登山者用通信端末装置が登山者端末通信部の通信機能のオン・オフを切り替える処理手順の第３の例を示すフローチャートである。
【図１１】本実施形態の登山者用通信端末装置の一変形例における登山者用通信端末装置の機能構成を示す概略ブロック図である。
【図１２】同変形例における登山者用通信端末装置が登山者端末通信部の通信機能のオン・オフを切り替える処理手順の例を示すフローチャートである。
【図１３】本発明に係る通信装置の最小構成を示す概略ブロック図である。
【図１４】本発明に係る通信システムの最小構成を示す概略ブロック図である。
【発明を実施するための形態】
【００１２】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における通信システムの装置構成を示す概略構成図である。同図に示す通信システム１は、登山者用通信端末装置１００と、サーバ装置２００と、捜索者用通信端末装置３００とを備える。
【００１３】
通信システム１は、登山者用通信端末装置１００の所持者を発見するためのシステムである。以下では、通信システム１を遭難した登山者の発見に用いる場合を例に説明するが、通信システム１の適用範囲はこれに限らず、いろいろな場面で遭難者の発見に用いることができる。例えば、通信システム１を砂漠での遭難者の発見に用いるようにしてもよいし、通信システム１を密林での遭難者の発見に用いるようにしてもよい。
【００１４】
登山者用通信端末装置１００は、登山者が所持している通信装置である。例えば、登山者用通信端末装置１００は、近距離無線通信機能を有している登山者の携帯端末装置であってもよい。ここでいう携帯端末装置は、スマートフォン及び携帯電話機の総称である。携帯端末装置は、携帯電話網の圏内では携帯電話網に接続して通信可能であるのに対し、携帯電話網の圏外では携帯電話網を利用することはできない。ここでいう携帯電話網は、通信事業者が携帯端末装置用に提供する無線通信ネットワークである。
【００１５】
一方、捜索者用通信端末装置３００が登山者用通信端末装置１００の近くに位置する場合、携帯電話網の圏外であっても近距離無線通信にて通信し得る。例えば、捜索者用通信端末装置３００を所持している捜索者が遭難中の登山者に近付くことで、当該捜索者用通信端末装置３００と、当該登山者が所持している登山者用通信端末装置１００とが通信可能になる。
【００１６】
ここで、遭難中の登山者が岩陰に位置している場合など、捜索者が登山者に近付いたことに気付かない可能性がある。これに対し、捜索者用通信端末装置３００が、登山者用通信端末装置１００と通信可能になったことを表示することで、当該表示を参照した捜索者は、登山者に近付いたことに気付き得る。また、捜索者用通信端末装置３００と登山者用通信端末装置１００とが通信可能になることで、登山者が自らの位置情報を捜索者に伝えることができる。あるいは、捜索者用通信端末装置３００が、登山者用通信端末装置１００から登山者用通信端末装置１００の位置情報を取得するようにしてもよい。
【００１７】
なお、以下では、登山者用通信端末装置１００がＮＦＣ（Near Field Communication）にて捜索者用通信端末装置３００の無線ＬＡＮ（Local Area Network）に接続する場合を例に説明するが、登山者用通信端末装置１００が用いる通信方式はこれに限らない。登山者用通信端末装置１００が用いる通信方式は、通信機能を停止することで消費電力を軽減させることができる方式であればよい。
【００１８】
なお、登山者用通信端末装置１００は、携帯端末装置に限らない。例えば、登山者用通信端末装置１００は通信システム１専用の通信装置であってもよい。
なお、通信システム１が備える登山者用通信端末装置１００の数は、図１に示す１つに限らず１つ以上であればよい。
登山者用通信端末装置１００は通信装置の例に該当する。また、登山者用通信端末装置１００は第１通信装置の例に該当する。
また、登山者用通信端末装置１００は、例えば蓄電池などの電池を用いて動作する。登山者用通信端末装置１００を長時間使用可能にするために、登山者用通信端末装置１００の電力消費を軽減させる必要がある。
【００１９】
サーバ装置２００は、登山者用通信端末装置１００の情報を通信システム１に登録する装置である。例えば、サーバ装置２００は入山ポイント（登山ルート入口）に設置され、通信システム１と通信を行って通信システム１の識別情報を取得し、得られた識別情報を捜索者用通信端末装置３００へ送信する。なお、通信システム１の識別情報としていろいろな情報を用いることができる。例えば、通信システム１が携帯端末装置である場合、通信システム１の識別情報として通信システム１の電話番号を用いる方にしてもよいし、ＩＭＥＩ（International Mobile Equipment Identifier）を用いるようにしてもよい。あるいは、通信システム１専用の識別情報を用いるようにしてもよい。
【００２０】
また、登山者用通信端末装置１００として登山者の携帯端末装置を用いる場合、サーバ装置２００が当該携帯端末装置を登山者用通信端末装置１００として機能させるためのアプリケーションプログラムを提供するようにしてもよい。
なお、サーバ装置２００は、通信システム１に必須ではない。例えば、登山者がインターネット（Internet）にて携帯端末装置の識別情報を予め登録するようにしてもよい。また、登山者が、携帯端末装置を登山者用通信端末装置１００として機能させるためのアプリケーションプログラムをインターネットから予めダウンロードするようにしてもよい。
【００２１】
捜索者用通信端末装置３００は、登山者用通信端末装置１００と通信することで登山者用通信端末装置１００を検出する。捜索者用通信端末装置３００が登山者用通信端末装置１００を検出することで、捜索者が登山者用通信端末装置１００を所持している登山者をできる可能性が高くなる。
捜索者用通信端末装置３００は、第２通信装置の例に該当し、登山者用通信端末装置１００と通信可能になった場合、当該登山者用通信端末装置１００を発見したことを示す情報を出力する。例えば捜索者用通信端末装置３００が、登山者用通信端末装置１００を発見したことを示すメッセージを表示するようにしてもよい。
【００２２】
また、捜索者用通信端末装置３００が、登山者用通信端末装置１００の識別情報を用いて遭難者が有する登山者用通信端末装置１００を識別するようにしてもよい。例えば、捜索者用通信端末装置３００は、遭難者が有する登山者用通信端末装置１００の識別情報を予め取得しておく。そして、捜索者用通信端末装置３００は、登山者用通信端末装置１００と通信して当該登山者用通信端末装置１００の識別情報を取得し、予め記憶している識別情報と一致するか否かを判定する。予め記憶している識別情報と一致した場合、（すなわち、遭難者の登山者用通信端末装置１００と通信可能になった場合、）捜索者用通信端末装置３００は、遭難者の登山者用通信端末装置１００を発見したことを示す情報を出力する。
【００２３】
図２は、登山者用通信端末装置１００の機能構成を示す概略ブロック図である。同図に示す登山者用通信端末装置１００は、登山者端末通信部１１０と、登山者端末表示部１２０と、登山者端末操作入力部１３０と、加速度センサ１４０と、位置情報取得部１５０と、登山者端末記憶部１８０と、登山者端末制御部１９０とを備える。登山者端末制御部１９０は、移動判定部１９１と、消費電力軽減部１９２と、アプリケーション処理部１９３とを備える。
【００２４】
登山者端末通信部１１０は、無線通信の通信先装置である他機器と通信を行う。例えば登山者端末通信部１１０は、登山者用通信端末装置１００が備える近距離無線通信装置であり、捜索者用通信端末装置３００が通信可能圏内に位置する場合に捜索者用通信端末装置３００と通信を行う。
但し、登山者端末通信部１１０の通信方式は近距離無線通信に限らず、登山者端末通信部１１０の通信機能を停止させることで消費電力を軽減可能であればよい。例えば、登山者用通信端末装置１００が携帯電話網の通信圏内に位置する場合、登山者端末通信部１１０が携帯電話網を介して捜索者用通信端末装置３００と通信を行うようにしてもよい。
【００２５】
登山者端末表示部１２０は、表示画面を有して各種画像を表示する。特に、登山者端末表示部１２０は、登山者用通信端末装置１００がアプリケーションプログラムを実行しているときに、各種アプリケーション画面を表示する。登山者端末表示部１２０の表示画面は、例えば液晶パネルまたはＬＥＤ（Light Emitting Diode）パネルであってもよいがこれに限らない。
なお、登山者端末表示部１２０は登山者用通信端末装置１００に必須ではない。例えば登山者用通信端末装置１００が通信システム１専用の装置である場合、登山者用通信端末装置１００が表示機能を有していない構成としてもよい。
【００２６】
登山者端末操作入力部１３０は、入力デバイスを有し、登山者用通信端末装置１００のユーザである登山者による入力操作を受ける。登山者端末操作入力部１３０が有する入力デバイスは、例えば登山者端末表示部１２０の表示画面に設けられてタッチパネルを構成するタッチセンサであってもよいし、テンキーなどの押ボタンであってもよいし、タッチセンサと押ボタンとの組み合わせであってもよいが、これらに限らない。
なお、登山者端末操作入力部１３０は登山者用通信端末装置１００に必須ではない。例えば登山者用通信端末装置１００が通信システム１専用の装置である場合、登山者用通信端末装置１００が入力デバイスを備えない構成としてもよい。
【００２７】
加速度センサ１４０は、登山者用通信端末装置１００の加速度を検出する。加速度センサ１４０が検出する登山者用通信端末装置１００の加速度は、登山者用通信端末装置１００が移動中か停止中かの判定に用いられる。
なお、加速度センサ１４０による加速度測定値に代えて、位置情報取得部１５０による位置情報を登山者用通信端末装置１００が移動中か停止中かの判定に用いるようにしてもよい。この場合、登山者用通信端末装置１００が加速度センサ１４０を備えない構成としてもよい。
【００２８】
位置情報取得部１５０は、自通信装置の位置情報を取得する。ここでいう自通信装置とは、通信装置の部分との関係で当該部分を含む通信装置である。例えば、位置情報取得部１５０との関係で自通信装置とは、当該位置情報取得部１５０を含む登山者用通信端末装置１００である。
位置情報取得部１５０は、例えばＧＮＳＳ（Global Navigation Satellite System）などの測位装置を備え、測位を行って自通信装置の位置情報を取得する。
【００２９】
登山者端末記憶部１８０は、登山者用通信端末装置１００が有する記憶デバイスを用いて構成され各種情報を記憶する。
登山者端末制御部１９０は、登山者用通信端末装置１００の各部を制御して各種機能を実現する。登山者端末制御部１９０は、例えば登山者用通信端末装置１００が有するＣＰＵ（Central Processing Unit、中央処理装置）が登山者端末記憶部１８０からプログラムを読み出して実行することで実現される。
【００３０】
移動判定部１９１は、自通信装置（当該移動判定部１９１を備える登山者用通信端末装置１００）が移動中か否かを判定する。例えば、移動判定部１９１は、加速度センサ１４０による加速度測定値に基づいて、自通信装置が動いていない状態を一定時間以上連続して検出すると、自通信装置が停止していると判定する。一方、自通信装置が停止していると判定する場合以外の場合、移動判定部１９１は自通信装置が移動していると判定する。
【００３１】
消費電力軽減部１９２は、自通信装置（当該消費電力軽減部１９２を備える登山者用通信端末装置１００）の位置と自通信装置の移動状況とに基づく所定の条件が成立していると判定した場合、登山者端末通信部１１０の消費電力を軽減する。
例えば、消費電力軽減部１９２は、自通信装置が登山ルートとして予め設定されている領域内に位置していると判定した場合、及び、自通信装置が移動中であると判定した場合、登山者端末通信部１１０の消費電力を軽減する。ここでの登山ルートは、移動予定経路の例に該当する。
【００３２】
ここで、自通信装置が登山ルート内に位置している場合、自通信装置を所持する登山者は遭難していないと考えられる。そこで消費電力軽減部１９２は、自通信装置が登山ルート内に位置している（従って、登山者が登山ルート内に位置している）と判定した場合は、登山者端末通信部１１０の消費電力を軽減させて登山者用通信端末装置１００の電池残量の確保を図る。
また、登山者が移動中である場合、登山者が自力で移動可能である点で、救助の必要性は比較的低いと考えられる。そこで消費電力軽減部１９２は、自通信装置が移動中である（従って、登山者が移動中である）と判定した場合は、登山者端末通信部１１０の消費電力を軽減させて登山者用通信端末装置１００の電池残量の確保を図る。
【００３３】
消費電力軽減部１９２は、例えば登山者端末通信部１１０の通信機能を停止させることで登山者端末通信部１１０の消費電力を軽減させる。さらに、消費電力軽減部１９２が、登山者用通信端末装置１００の電源（例えば蓄電池）から登山者端末通信部１１０への電力供給を停止させることで、登山者端末通信部１１０の消費電力を軽減させるようにしてもよい。
アプリケーション処理部１９３は、各種アプリケーションプログラムを実行する。例えば、アプリケーション処理部１９３は、携帯端末装置を登山者用通信端末装置１００として機能させるアプリケーションプログラムを実行する。
【００３４】
図３は、捜索者用通信端末装置３００の機能構成を示す概略ブロック図である。同図に示す捜索者用通信端末装置３００は、捜索者端末通信部３１０と、捜索者端末表示部３２０と、捜索者端末操作入力部３３０と、捜索者端末記憶部３８０と、捜索者端末制御部３９０とを備える。
捜索者端末通信部３１０は、他機器と無線にて通信する。特に、捜索者用通信端末装置３００が登山者用通信端末装置１００の通信圏内に位置する場合、捜索者端末通信部３１０は登山者端末通信部１１０と通信を行う。
【００３５】
捜索者端末表示部３２０は、表示画面を有して各種画像を表示する。特に、捜索者端末表示部３２０は、捜索者用通信端末装置３００が遭難者の登山者用通信端末装置１００を発見した際、遭難者の登山者用通信端末装置１００を発見したことを示す情報を表示する。捜索者端末表示部３２０の表示画面は、例えば液晶パネルまたはＬＥＤパネルであってもよいがこれに限らない。
【００３６】
捜索者端末操作入力部３３０は、入力デバイスを有し、捜索者用通信端末装置３００のユーザである捜索者による入力操作を受ける。捜索者端末操作入力部３３０が有する入力デバイスは、例えば捜索者端末表示部３２０の表示画面に設けられてタッチパネルを構成するタッチセンサであってもよいし、テンキーなどの押ボタンであってもよいし、タッチセンサと押ボタンとの組み合わせであってもよいが、これらに限らない。
【００３７】
捜索者端末記憶部３８０は、捜索者用通信端末装置３００が有する記憶デバイスを用いて構成され各種情報を記憶する。
捜索者端末制御部３９０は、捜索者用通信端末装置３００の各部を制御して各種機能を実現する。捜索者端末制御部３９０は、例えば捜索者用通信端末装置３００が有するＣＰＵが捜索者端末記憶部３８０からプログラムを読み出して実行することで実現される。
なお、捜索者用通信端末装置３００の構成は図３に示す構成に限らず、登山者用通信端末装置１００と通信可能な構成であればよい。
【００３８】
次に、図４を参照して、消費電力軽減部１９２による登山者端末通信部１１０の状態の切替について説明する。
図４は、消費電力軽減部１９２が切り替える登山者端末通信部１１０の状態の例を示す説明図である。同図では、登山者端末通信部１１０の通信機能がオフ（Off、通信停止）の状態Ｍ１１と、登山者端末通信部１１０の通信機能がオン（On、通信可能）の状態Ｍ１２とが示されている。また、条件Ｃ１１が成立すると、状態Ｍ１１（通信機能オフ）から状態Ｍ１２（通信機能オン）へ遷移する。また、条件Ｃ１２が成立すると、状態Ｍ１２（通信機能オン）から状態Ｍ１１（通信機能オフ）へ遷移する。
このように、消費電力軽減部１９２は、登山者端末通信部１１０の通信機能オフの状態（状態Ｍ１１）と通信機能オンの状態（状態Ｍ１２）とを切り替える。通信機能オフの状態では、通信機能オンの状態よりも登山者端末通信部１１０の消費電力を軽減することができる。
【００３９】
次に、図５及び図６を参照して、捜索者用通信端末装置３００が登山者用通信端末装置１００を発見する手続について説明する。
図５は、捜索者用通信端末装置３００が登山者用通信端末装置１００を発見する処理手順の例を示す説明図である。
同図の処理では、登山者用通信端末装置１００は、無線ＬＡＮ待受け状態にある（ステップＳ１０１）。具体的には、登山者用通信端末装置１００は、捜索者用通信端末装置３００からのビーコン（Beacon）を待ち受ける。
【００４０】
一方、捜索者用通信端末装置３００は、無線ＬＡＮ接続待ちの状態で、無線ＬＡＮ接続のための情報を含むビーコンを送信する（ステップＳ１０２）。
捜索者用通信端末装置３００からのビーコンを取得した登山者用通信端末装置１００は、無線ＬＡＮへの接続を開始して接続要求を送信する（ステップＳ１０３）。
【００４１】
登山者用通信端末装置１００からの接続要求を取得した捜索者用通信端末装置３００は、無線ＬＡＮ接続を開始する（ステップＳ１０４）。
無線ＬＡＮ接続を開始した捜索者用通信端末装置３００は、無線ＬＡＮのサーバとして動作し、サーバ認証情報（サーバを認証するために必要な情報）を送信する（ステップＳ１０５）。
【００４２】
サーバ認証情報を受信した登山者用通信端末装置１００は、サーバ認証処理を行う（ステップＳ１０６）。
サーバ認証に成功した場合、登山者用通信端末装置１００は、登山者用通信端末装置１００自らの認証（端末認証）に必要な情報を捜索者用通信端末装置３００へ送信する（ステップＳ１０７）。
端末認証に必要な情報を受信した捜索者用通信端末装置３００は、端末の認証を行う（ステップＳ１０８）。端末の認証に成功した捜索者用通信端末装置３００は、遭難者を見つけた旨のメッセージを表示する（ステップＳ１０９）。
【００４３】
図６は、登山者用通信端末装置１００及び捜索者用通信端末装置３００が行う認証処理の例を示す説明図である。登山者用通信端末装置１００及び捜索者用通信端末装置３００は、例えば図５のステップＳ１０５〜Ｓ１０８にて図６の処理を行う。
図６の処理では、登山者用通信端末装置１００が捜索者用通信端末装置３００に公開鍵の要求を送信する（ステップＳ２０１）。捜索者用通信端末装置３００は、登山者用通信端末装置１００からの要求に応じて、公開鍵を登山者用通信端末装置１００へ送信する（ステップＳ２０２）。ステップＳ２０２は、図５のステップＳ１０５に対応する。
【００４４】
公開鍵を取得した登山者用通信端末装置１００は、取得した公開鍵を検証する（ステップＳ２０３）。ステップＳ２０３は、図５のステップＳ１０６に対応する。
ステップＳ２０３でサーバの公開鍵の検証に問題がなければ、登山者用通信端末装置１００は、サーバの認証に成功し、登山者用通信端末装置１００自らのＩＤ（識別情報）及びパスワードを捜索者用通信端末装置３００へ送信する（ステップＳ２０４）。ステップＳ２０４は、図５のステップＳ１０７に対応する。
【００４５】
登山者用通信端末装置１００のＩＤ及びパスワードを取得した捜索者用通信端末装置３００は、登山者用通信端末装置１００の認証を行い、認証に成功するとＳＳＩＤ（Service Set Identifier、アクセスポイントの識別情報）を登山者用通信端末装置１００へ送信する（ステップＳ２０５）。
ステップＳ２０５の後、登山者用通信端末装置１００と捜索者用通信端末装置３００との間で通信可能となっている。
【００４６】
次に、図７〜図１０を参照して登山者用通信端末装置１００の動作について説明する。
図７は、登山者用通信端末装置１００が登山者端末通信部１１０の通信機能のオン・オフを切り替える処理手順の第１の例を示すフローチャートである。同図の処理にて、登山者端末制御部１９０は、登山者端末操作入力部１３０が受けたユーザ操作を検出する（ステップＳ３０１）。そして、消費電力軽減部１９２は、ステップＳ３０１での検出結果に基づいて、登山者端末通信部１１０のオン・オフを切り替える機能の実行終了を指示するユーザ操作が行われたか否かを判定する（ステップＳ３０２）。
【００４７】
登山者端末通信部１１０のオン・オフを切り替える機能の実行終了を指示するユーザ操作が行われたと判定した場合（ステップＳ３０２：ＹＥＳ）、図７の処理を終了する。
一方、登山者端末通信部１１０のオン・オフを切り替える機能の実行終了を指示するユーザ操作は行われていなかったと判定した場合（ステップＳ３０２：ＮＯ）、位置情報取得部１５０が登山者用通信端末装置１００の現在位置を示す位置情報を取得する（ステップＳ３１１）。
【００４８】
そして、消費電力軽減部１９２は、ステップＳ３１１で得られた位置情報に基づいて、登山者用通信端末装置１００が登山ルートに位置しているか否かを判定する（ステップＳ３１２）。具体的には、消費電力軽減部１９２は、登山ルートの領域を予め記憶しておき、ステップＳ３１１で得られた登山者用通信端末装置１００の現在位置が登山ルートの領域に含まれているか否かを判定する。登山ルートは移動予定経路の例に該当する。
【００４９】
登山者用通信端末装置１００が登山ルートに位置していると判定した場合（ステップＳ３１２：ＹＥＳ）、消費電力軽減部１９２は、登山者端末通信部１１０の通信機能をオフにする（ステップＳ３４１）。登山者用通信端末装置１００が登山ルートに位置している場合（従って、登山者が登山ルートに位置している場合）、登山者は遭難していないと考えられるので、登山者用通信端末装置１００の電池残量確保を優先するためである。
【００５０】
一方、登山者用通信端末装置１００が登山ルートに位置していないと判定した場合（ステップＳ３１２：ＮＯ）、消費電力軽減部１９２は、加速度センサ１４０が測定する登山者用通信端末装置１００の加速度に基づいて、登山者用通信端末装置１００の移動状況を検出する（ステップＳ３２１）。
そして、消費電力軽減部１９２は、ステップＳ３２１での検出結果に基づいて、登山者用通信端末装置１００が移動中か否かを判定する（ステップＳ３２２）。
【００５１】
登山者用通信端末装置１００が移動中であると判定した場合（ステップＳ３２２：ＹＥＳ）、ステップＳ３４１へ遷移する。登山者用通信端末装置１００が移動中である場合、登山者が自力で移動可能と考えられるので、登山者用通信端末装置１００の電池残量確保を優先させるためである。
一方、登山者用通信端末装置１００が停止中であると判定した場合（ステップＳ３２２：ＮＯ）、消費電力軽減部１９２は、登山者端末通信部１１０の通信機能をオンにする（ステップＳ３３１）。登山ルート外で登山者が自力移動できなくなっている可能性がある。そこで、消費電力軽減部１９２が登山者端末通信部１１０の通信機能をオンにすることで、捜索者が登山者を遭難者として保護する場合に当該登山者を発見し易くする。
【００５２】
図８は、図７の処理で消費電力軽減部１９２が行う通信機能オン・オフの切替の条件を示す説明図である。同図に示すように、登山者用通信端末装置１００の現在位置が登山ルート上にある（登山ルートに位置している）と判定した場合、消費電力軽減部１９２は、登山者端末通信部１１０の通信機能をオフにする。また、登山者用通信端末装置１００が移動中であると判定した場合も、消費電力軽減部１９２は、登山者端末通信部１１０の通信機能をオフにする。一方、登山者用通信端末装置１００の現在位置が登山ルートから外れており、かつ、登山者用通信端末装置１００が停止中であると判定した場合、消費電力軽減部１９２は、登山者端末通信部１１０の通信機能をオンにする。
【００５３】
図９は、登山者用通信端末装置１００が登山者端末通信部１１０の通信機能のオン・オフを切り替える処理手順の第２の例を示すフローチャートである。図７の例では、消費電力軽減部１９２は、登山者用通信端末装置１００が登山ルートに位置していると判定した場合、及び、登山者用通信端末装置１００が移動中であると判定した場合に、登山者端末通信部１１０の通信機能をオフにした。これに対し、図９の例では、消費電力軽減部１９２は、登山者用通信端末装置１００が山頂など予め設定されている目的地から所定の距離の範囲内に位置すると判定した場合、及び、登山者用通信端末装置１００が移動中であると判定した場合に、登山者端末通信部１１０の通信機能をオフにする。
【００５４】
図９のステップＳ４０１では、登山者端末記憶部１８０が、例えば山頂の位置、下山ポイントの位置および山小屋の位置など、所定の目的地の位置を１つ以上記憶する（ステップＳ４０１）。例えば、登山者端末通信部１１０が入山ポイントに設置されたサーバ装置２００と通信して山頂等の位置情報を緯度及び経度にて取得し、登山者端末記憶部１８０が当該位置情報を記憶しておく。
なお、この登録は、消費電力軽減部１９２が登山者端末通信部１１０の通信機能のオン・オフを切り替える機能の使用開始時に行われてもよいし、当該機能の使用開始前に予め行われていてもよい。
【００５５】
図９のステップＳ４０２〜Ｓ４１１は、図７のステップＳ３０１〜Ｓ３１１と同様である。
ステップＳ４１１の後、消費電力軽減部１９２は、ステップＳ４１１で得られた登山者用通信端末装置１００の現在位置と、ステップＳ４０１で登録された目的地との距離を算出する（ステップＳ４１２）。なお、ステップＳ４０１で目的地が複数登録されている場合、消費電力軽減部１９２は、目的地毎に登山者用通信端末装置１００の現在位置との距離を算出する。
【００５６】
そして、消費電力軽減部１９２は、ステップＳ４１２で算出した距離が所定の閾値未満か否かを判定する（ステップＳ４１３）。なお、ステップＳ４１２で距離を複数算出した場合、消費電力軽減部１９２は、閾値未満の距離が１つでもあれば、距離が閾値未満であると判定する。
距離が閾値以上であると判定した場合（ステップＳ４１３：ＮＯ）、ステップＳ４２１へ遷移する。ステップＳ４２１〜Ｓ４４１は、図７のステップＳ３２１〜Ｓ３４１と同様である。ステップＳ４３１では、登山者が目的地以外の場所で自力移動できなくなっている可能性があることから、遭難者として保護する場合に登山者を発見し易くするように、消費電力軽減部１９２が、登山者端末通信部１１０の通信機能をオンにする。
ステップＳ４３１の後、ステップＳ４０２へ遷移する。
【００５７】
一方、ステップＳ４１３で、距離が閾値未満であると判定した場合（ステップＳ４１３：ＹＥＳ）、ステップＳ４４１へ遷移する。
この場合、登山者は目的地付近に休憩等のために留まっていると考えられ、遭難している可能性は低いと考えられることから、登山者用通信端末装置１００の電池残量確保を優先させるためである。また、仮に登山者が自力移動できなくなっていても、他の登山者に発見されることが期待され、生命および身体の危険性は比較的低いと考えられる。
ステップＳ４４１の後、ステップＳ４０２へ遷移する。
【００５８】
なお、消費電力軽減部１９２が、図７の処理と図９の処理とを組み合わせて実行するようにしてもよい。具体的には、消費電力軽減部１９２が、登山者用通信端末装置１００が登山ルートに位置していると判定した場合、登山者用通信端末装置１００が山頂など予め設定されている目的地から所定の距離の範囲内に位置すると判定した場合、及び、登山者用通信端末装置１００が移動中であると判定した場合のいずれも、登山者端末通信部１１０の通信機能をオフにするようにしてもよい。
【００５９】
図１０は、登山者用通信端末装置１００が登山者端末通信部１１０の通信機能のオン・オフを切り替える処理手順の第３の例を示すフローチャートである。図１０の例では、消費電力軽減部１９２は、登山者用通信端末装置１００が移動中であると判定した場合に、登山者端末通信部１１０の通信機能をオフにする。加えて、消費電力軽減部１９２は、登山者用通信端末装置１００と下山ポイントなど所定の目的地との距離が所定の距離以上であると判定した場合、登山者端末通信部１１０の通信機能のオン・オフを切り替える機能の実行を終了する。
【００６０】
図１０のステップＳ５０１〜Ｓ５１２は、図９のステップＳ４０１〜Ｓ４１２と同様である。なお、登山者端末記憶部１８０がステップＳ５０１で記憶する目的地は、登山エリア全体を推定する基準となる位置であればよい。例えば、登山者端末記憶部１８０が、山頂の位置を目的地として記憶するようにしてもよいし、下山ポイントの位置を目的地として記憶するようにしてもよい。また、登山者端末記憶部１８０が目的地を複数記憶するようにしてもよい。
【００６１】
ステップＳ５１２の後、消費電力軽減部１９２は、ステップＳ５１２で算出した距離が所定の閾値以上か否かを判定する（ステップ５１３）。ここでは、消費電力軽減部１９２は、登山者が登山エリア全体から既に離れているか否かを判定する。このため、ステップＳ５１３の閾値としては、例えば５キロメートルなど、ステップＳ４１３での閾値よりも大きい閾値を用いる。なお、ステップＳ５１２で距離を複数算出した場合、消費電力軽減部１９２は、全ての距離が閾値以上である場合に、距離が閾値以上であると判定する。
【００６２】
距離が閾値以上であると判定した場合（ステップＳ５１３：ＮＯ）、ステップＳ５２１へ遷移する。ステップＳ５２１〜Ｓ５４１は、図９のステップＳ４１３〜Ｓ４４１と同様である。ステップＳ５３１の後、ステップＳ５０２へ遷移する。また、ステップＳ５４１の後も、ステップＳ５０２へ遷移する。
一方、ステップＳ５１３で距離が閾値以上であると判定した場合（ステップＳ５１３：ＹＥＳ）、図１０の処理を終了する。この場合、登山者が既に登山エリアから離れていると考えられるので、消費電力軽減部１９２は、登山者端末通信部１１０の通信機能のオン・オフを切り替える機能の実行を終了する。
【００６３】
なお、消費電力軽減部１９２が、図７および図９の処理の何れか一方または両方と、図１０の処理とを組み合わせて実行するようにしてもよい。具体的には、図７の処理または図９の処理またはこれらの組み合わせの処理で、消費電力軽減部１９２が、登山者用通信端末装置１００の現在位置と目的地との距離が所定の閾値以上か否かを判定するようにしてもよい。登山者用通信端末装置１００の現在位置と目的地との距離が閾値以上であると判定した場合、登山者端末通信部１１０の通信機能のオン・オフを切り替える機能の実行を終了する。
【００６４】
以上のように、消費電力軽減部１９２は、自通信装置（当該消費電力軽減部１９２を備える登山者用通信端末装置１００）の位置と自通信装置の移動状況とに基づく所定の条件が成立していると判定した場合、登山者端末通信部１１０の消費電力を軽減する。このように、消費電力軽減部１９２は、遭難者の発見に利用可能な登山者用通信端末装置１００の消費電力を、当該登山者用通信端末装置１００の位置および移動状況に応じて軽減させることができる。消費電力の軽減により、登山者用通信端末装置１００の使用可能時間（電池残量を確保できる時間）が長くなる。
【００６５】
また、図７の例のように消費電力軽減部１９２は、自通信装置（当該消費電力軽減部１９２を備える登山者用通信端末装置１００）が移動予定経路として予め設定されている領域内に位置していると判定した場合、及び、自通信装置が移動中であると判定した場合、登山者端末通信部１１０の消費電力を軽減する。
ここで、登山者用通信端末装置１００が移動予定経路に位置している場合、登山者用通信端末装置１００のユーザは遭難していないと考えられる。そこで、登山者用通信端末装置１００が移動予定経路に位置している場合、消費電力軽減部１９２が、登山者端末通信部１１０の消費電力を軽減することで、登山者用通信端末装置１００の電池残量の確保を図ることができる。
また、登山者用通信端末装置１００が移動中である場合、登山者用通信端末装置１００のユーザは自力で移動可能と考えられ、遭難者として保護する必要性は低いと考えられる。そこで、登山者用通信端末装置１００が移動中である場合、消費電力軽減部１９２が、登山者端末通信部１１０の消費電力を軽減することで、登山者用通信端末装置１００の電池残量の確保を図ることができる。
【００６６】
また、図９の例のように消費電力軽減部１９２は、自通信装置（当該消費電力軽減部１９２を備える登山者用通信端末装置１００）の位置と所定の基準位置との距離が所定の閾値より小さいと判定した場合、及び、自通信装置が移動中であると判定した場合、前記通信部の消費電力を軽減する。
ここで、登山者用通信端末装置１００と基準位置との距離が所定の閾値より小さい場合、登山者用通信端末装置１００のユーザは、例えば山頂または山小屋または下山ポイントなど基準位置の付近に休息等のために留まっていると考えられる。この場合、当該ユーザを遭難者として保護する必要性は低いと考えられる。そこで、登山者用通信端末装置１００と基準位置との距離が所定の閾値より小さい場合、消費電力軽減部１９２が、登山者端末通信部１１０の消費電力を軽減することで、登山者用通信端末装置１００の電池残量の確保を図ることができる。
【００６７】
また、図１０の例のように消費電力軽減部１９２は、自通信装置（当該消費電力軽減部１９２を備える登山者用通信端末装置１００）の位置と所定の基準位置との距離が所定の閾値以上であると判定した場合、登山者端末通信部１１０の消費電力を軽減する処理を終了する。すなわち、消費電力軽減部１９２は、自通信装置の位置と所定の基準位置との距離が所定の閾値以上であると判定した場合、登山者端末通信部１１０の通信機能のオン・オフを切り替える機能の実行を終了する。
ここで、登山者用通信端末装置１００と基準位置との距離が所定の距離以上である場合、登山者用通信端末装置１００のユーザは、登山エリアなど遭難者保護の対象エリアから既に離れていると考えられる。この場合、登山者端末通信部１１０の通信機能のオン・オフを消費電力軽減部１９２が切り替えるよりもユーザの設定に従う方が、ユーザの利便性が高いと考えられる。そこで、消費電力軽減部１９２は、自通信装置の位置と所定の基準位置との距離が所定の距離以上である場合、登山者端末通信部１１０の通信機能のオン・オフを切り替える機能の実行を終了することで、ユーザの設定に従って登山者端末通信部１１０の通信機能をオンまたはオフにすることができる。
【００６８】
次に、図１１及び図１２を参照して、本実施形態の登山者用通信端末装置１００の変形例について説明する。図１１は、本実施形態の登山者用通信端末装置１００の一変形例における登山者用通信端末装置の機能構成を示す概略ブロック図である。同図に示す登山者用通信端末装置４００は、登山者端末通信部１１０と、登山者端末表示部１２０と、登山者端末操作入力部１３０と、加速度センサ１４０と、位置情報取得部１５０と、時刻情報取得部４６０と、登山者端末記憶部１８０と、登山者端末制御部４９０とを備える。登山者端末制御部４９０は、移動判定部１９１と、消費電力軽減部４９２と、アプリケーション処理部１９３とを備える。
図１１の各部のうち図２の各部に対応して同様の機能を有する部分には同一の機能（１１０、１２０、１３０、１４０、１５０、１８０、１９１、１９３）を付して説明を省略する。
【００６９】
時刻情報取得部４６０は、現在時刻を示す時刻情報を取得する。時刻情報取得部４６０が、例えば時計を備えるようにしてもよいし、あるいは、登山者用通信端末装置４００の外部の機器から時刻情報を受信するようにしてもよい。
消費電力軽減部４９２は、登山者用通信端末装置４００の移動状況、および、現在時刻に基づいて、登山者端末通信部１１０の通信機能のオン・オフを切り替える。
【００７０】
図１２は、登山者用通信端末装置４００が登山者端末通信部１１０の通信機能のオン・オフを切り替える処理手順の例を示すフローチャートである。
図１２のステップＳ６０１〜Ｓ６０２は、図７のステップＳ３０１〜Ｓ３０２と同様である。
ステップＳ６０２で、登山者端末通信部１１０のオン・オフを切り替える機能の実行の終了を指示するユーザ操作が行われたと判定した場合（ステップＳ６０２：ＹＥＳ）、図１２の処理を終了する。
【００７１】
一方、登山者端末通信部１１０のオン・オフを切り替える機能の実行の終了を指示するユーザ操作は行われなかったと判定した場合（ステップＳ６０２：ＮＯ）、時刻情報取得部４６０が、現在時刻を示す時刻情報を取得する（ステップＳ６１１）。
そして、消費電力軽減部４９２は、ステップＳ６１１で得られた時刻情報に基づいて、現在時刻が夜間として設定されている期間に該当するか否かを判定する（ステップＳ６１２）。
【００７２】
現在時刻が夜間として設定されている期間に該当しないと判定した場合（ステップＳ６１２：ＮＯ）、ステップＳ６２１へ遷移する。ステップＳ６２１〜Ｓ６５１は、図７のステップＳ３１１〜Ｓ３４１と同様である。ステップＳ６４１の後、ステップＳ６０１へ遷移する。ステップＳ６５１の後も、ステップＳ６０１へ遷移する。
【００７３】
一方、ステップＳ６１２で、現在時刻が夜間として設定されている期間に該当すると判定した場合（ステップＳ６１２：ＹＥＳ）、ステップＳ６４１へ遷移する。この場合、夜間は昼間よりも危険であると考えられる。そこで、登山者を遭難者として保護する場合に登山者を発見し易くするように、消費電力軽減部４９２が、登山者端末通信部１１０の通信機能をオンにする。
【００７４】
なお、図１２では、消費電力軽減部４９２が、夜間に登山者端末通信部１１０の通信機能をオンにする処理を、図７の処理との組み合わせにて説明したが、図９または図１０の処理と組み合わせるようにしてもよい。あるいは、図７、図９、図１０の処理のうち２つ以上の組み合わせと、消費電力軽減部４９２が、夜間に登山者端末通信部１１０の通信機能をオンにする処理とを組み合わせるようにしてもよい。
【００７５】
以上のように、消費電力軽減部４９２は、現在時刻が夜間として設定されている期間に該当すると判定した場合、登山者端末通信部１１０の消費電力の軽減を抑制する。
ここで、夜間は昼間よりも危険であると考えられる。そこで、現在時刻が夜間に該当する場合、消費電力軽減部４９２が、登山者端末通信部１１０の通信機能をオンにすることで、登山者を遭難者として保護する場合に登山者を発見し易くすることができる。
【００７６】
次に、図１３および図１４を参照して本発明の最小構成について説明する。
図１３は、本発明に係る通信装置の最小構成を示す概略ブロック図である。同図に示す通信装置１０は、通信部１１と、位置情報取得部１２と、移動判定部１３と、消費電力軽減部１４とを備える。
【００７７】
かかる構成において、通信部１１は、無線通信の通信先装置と通信する。また、位置情報取得部１２は、自通信装置１０（当該位置情報取得部１２を備える通信装置１０）の位置情報を取得する。また、移動判定部１３は、自通信装置１０が移動中か否かを判定する。そして、消費電力軽減部１４は、自通信装置１０の位置と自通信装置１０の移動状況とに基づく所定の条件が成立していると判定した場合、通信部１１の消費電力を軽減する。
【００７８】
このように、消費電力軽減部１４は、遭難者の発見に利用可能な通信装置１０の消費電力を、当該通信装置１０の位置および移動状況に応じて軽減させることができる。消費電力の軽減により、通信装置１０の使用可能時間（電池残量を確保できる時間）が長くなる。
【００７９】
図１４は、本発明に係る通信システムの最小構成を示す概略ブロック図である。同図に示す通信システム２０は、第１通信装置２１と、第２通信装置２６とを備える。第１通信装置２１は、通信部２２と、位置情報取得部２３と、移動判定部２４と、消費電力軽減部２５とを備える。
【００８０】
かかる構成において、通信部２２は、無線通信の通信先装置と通信する。また、位置情報取得部２３は、自第１通信装置２１（当該位置情報取得部２３を備える第１通信装置２１）の位置情報を取得する。また、移動判定部２４は、自第１通信装置２１が移動中か否かを判定する。そして、消費電力軽減部２５は、自第１通信装置２１の位置と自第１通信装置２１の移動状況とに基づく所定の条件が成立していると判定した場合、通信部２２の消費電力を軽減する。第２通信装置は、第１通信装置と通信可能になった場合、当該第１通信装置を発見したことを示す情報を出力する。
【００８１】
このように、消費電力軽減部２５は、遭難者の発見に利用可能な第１通信装置２１の消費電力を、当該第１通信装置２１の位置および移動状況に応じて軽減させることができる。消費電力の軽減により、第１通信装置２１の使用可能時間（電池残量を確保できる時間）が長くなる。
また、第２通信装置が第１通信装置を発見したことを示す情報を出力することで、第１通信装置２１の所持者が遭難した場合に、捜索者が行う第１通信装置２１の所持者の捜索を支援することができる。
【００８２】
なお、登山者端末制御部１９０及び４９０と、移動判定部１３及び２４と、消費電力軽減部１４及び２５との全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００８３】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８４】
１、２０  通信システム
１０  通信装置
１１、２２  通信部
１２、２３、１５０  位置情報取得部
１３、２４、１９１  移動判定部
１４、２５、１９２  消費電力軽減部
２１  第１通信装置
２６  第２通信装置
１００  登山者用通信端末装置
１１０  登山者端末通信部
１２０  登山者端末表示部
１３０  登山者端末操作入力部
１４０  加速度センサ
１８０  登山者端末記憶部
１９０  登山者端末制御部
１９３  アプリケーション処理部
２００  サーバ装置
３００  捜索者用通信端末装置
３１０  捜索者端末通信部
３２０  捜索者端末表示部
３３０  捜索者端末操作入力部
３８０  探索者端末記憶部
３９０  探索者端末制御部
【図１】
2016192754.tif 000003
【図２】
2016192754.tif 000004
【図３】
2016192754.tif 000005
【図４】
2016192754.tif 000006
【図５】
2016192754.tif 000007
【図６】
2016192754.tif 000008
【図７】
2016192754.tif 000009
【図８】
2016192754.tif 000010
【図９】
2016192754.tif 000011
【図１０】
2016192754.tif 000012
【図１１】
2016192754.tif 000013
【図１２】
2016192754.tif 000014
【図１３】
2016192754.tif 000015
【図１４】
2016192754.tif 000016